【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
プロセッサを有する端末機器の情報喚起方法であって、
該プロセッサが、利用者の地理的位置情報を獲得することと、
該プロセッサが、地理的位置情報と時間情報との対応関係を第一のデータベースに記録することと、
該プロセッサが、ある履歴時点における地理的位置情報の問い合わせ要求を受信すると、問い合わせる対象時点を決定することと、
該プロセッサが、第一のデータベースに問い合わせ、対象時点に対応する対象の地理的位置情報を決定することと、
該プロセッサが、事前に設定された地図データベースから対象の地理的位置情報に対応する対象地図データを獲得することと、
該プロセッサが、ユーザインタフェース上に表示するために対象地図データをロードすることと、
を含む方法。
【請求項２】
該プロセッサが、利用者の地理的位置情報を獲得することは、
該プロセッサが、前記利用者の携帯端末機器の測位システムによって座標情報を獲得し、前記座標情報を前記地理的位置情報として決定すること、
を含み、
該プロセッサが、前記地理的位置情報と時間情報との対応関係を第一のデータベースに記録することは、
該プロセッサが、前記座標情報と時間情報との対応関係を前記第一のデータベースに記録すること、
を含む、請求項１に記載の方法。
【請求項３】
該プロセッサが、利用者の地理的位置情報をリアルタイムで獲得することは、
前記利用者によって使用される携帯端末機器の測位システムによって座標情報を獲得することと、
該プロセッサが、前記座標情報を使用して第二のデータベースに問い合わせ、前記利用者のサイト識別情報を決定し、前記サイト識別情報を前記地理的位置情報として決定することと、を含み、前記第二のデータベースは各サイト識別とサイト範囲の座標情報との対応関係を記憶し、
該プロセッサが、前記地理的位置情報と時間情報との対応関係を第一のデータベースに記録することは、
該プロセッサが、前記サイト識別情報と時間情報との対応関係を前記第一のデータベースに記録すること、
を含む、請求項１に記載の方法。
【請求項４】
該プロセッサが、前記利用者が同じサイトにいる時間範囲を決定すること、を更に含み、
該プロセッサが、前記サイト識別情報と時間情報との対応関係を第一のデータベースに記録することは、
該プロセッサが、前記サイト識別情報と前記時間範囲の開始時間と終了時間との対応関係を前記第一のデータベースに記録すること、
を含む、請求項３に記載の方法。
【請求項５】
該プロセッサが、ユーザインタフェース上に表示するために前記対象地図データをロードする場合、
該プロセッサが、前記利用者にサイト前記識別情報を提供すること、
を更に含む、請求項３に記載の方法。
【請求項６】
該プロセッサが、前記利用者の移動状態情報を獲得すること、を更に含み、
該プロセッサが、前記地理的位置情報と時間情報との対応関係を第一のデータベースに記録することは、
該プロセッサが、移動速度が事前に設定されたしきい値より低い状態で獲得された地理的位置情報と時間情報との対応関係を前記第一のデータベースに記録すること、
を含む、請求項１から請求項５までのいずれか一項に記載の方法。
【請求項７】
該プロセッサが、ある履歴時点における地理的位置情報の問い合わせ要求を受信すると、前記利用者に対して、対象時点を選択するための操作インタフェースをユーザインタフェース上に提供すること、を更に含み、前記操作インタフェースには操作可能なオブジェクトとタイムスケール情報とが提供され、
該プロセッサが、前記問い合わせ対象時点を決定することは、
前記操作可能なオブジェクトが操作されたことを示す信号が検知された場合、該プロセッサが、前記操作可能なオブジェクトに対応する対象タイムスケールを決定し、前記対象タイムスケールに対応する時間を前記対象時点として決定すること、
を含む、請求項１から請求項５までのいずれか一項に記載の方法。
【請求項８】
前記操作インタフェースは半透明状態で、前記方法は、
該プロセッサが、前記操作可能なオブジェクトが操作されたことを示す信号が検知されない場合、前記地図データは初期状態であって、地図データを操作インタフェースの下層インタフェースにロードし、前記地図データを表示することと、
前記操作可能なオブジェクトが操作されたことを示す信号が検知された場合、該プロセッサが、決定した対象の地理的位置に対応する対象地図データを使用して、前記対象地図データをロードし、前記下層インタフェース上に更新して表示することと、
を更に含む、請求項７に記載の方法。
【請求項９】
該プロセッサが、前記下層インタフェースの更新及び表示中に地図の移動効果を提供すること、
を更に含む、請求項８に記載の方法。
【請求項１０】
プロセッサを有する端末機器の情報喚起方法であって、
該プロセッサが、利用者の携帯端末機器の測位システムによって、前記利用者の座標情報を獲得することと、
該プロセッサが、前記座標情報をサーバにアップロードして、前記サーバが前記利用者の地理的位置情報を獲得できるようにし、前記地理的位置情報と時間情報との対応関係を第一のデータベースに記録することと、
該プロセッサが、ある履歴時点における地理的位置情報の問い合わせ要求を受信すると、問い合わせる対象時点を決定することと、
該プロセッサが、前記対象時点を前記サーバにアップロードして、前記サーバが前記第一のデータベースに問い合わせることで前記対象時点に対応する対象の地理的位置情報を決定できるようにし、事前に設定された地図データベースから前記対象の地理的位置情報に対応する対象地図データを獲得することと、
該プロセッサが、前記サーバから戻された前記対象地図データを受信し、ユーザインタフェース上に表示するために前記対象地図データをロードすることと、
を含む方法。
【請求項１１】
プロセッサを有する機器における情報喚起方法であって、
該プロセッサが、クライアントによってアップロードされた座標情報を受信することと、
該プロセッサが、前記座標情報を使用することで利用者のリアルタイムの地理的位置情報を決定し、前記地理的位置情報と時間情報との対応関係を第一のデータベースに記録することと、
該プロセッサが、前記クライアントによってアップロードされた問い合わせ対象時点情報を受信すると、前記第一のデータベースに問い合わせ、前記対象時点に対応する対象の地理的位置情報を決定することと、
該プロセッサが、事前に設定された地図データベースから前記対象の地理的位置情報に対応する対象地図データを獲得し、前記対象地図データを前記クライアントに戻して、前記クライアントが前記対象地図データをロードしてユーザインタフェースに表示できるようにすることと、
を含む方法。
【請求項１２】
端末機器の情報喚起装置であって、
利用者の地理的位置情報を獲得する地理的位置情報獲得部と、
前記地理的位置情報と時間情報との対応関係を第一のデータベースに記録する対応関係記録部と、
ある履歴時点における地理的位置情報の問い合わせ要求を受信すると、問い合わせる対象時点を決定する対象時点決定部と、
前記第一のデータベースに問い合わせ、前記対象時点に対応する対象の地理的位置情報を決定する対象地理的位置情報決定部と、
事前に設定された地図データベースから前記対象の地理的位置情報に対応する対象地図データを獲得する対象地図データ獲得部と、
ユーザインタフェースに表示するために前記対象地図データをロードする地図ロード表示部と、
を備える装置。
【請求項１３】
端末機器の情報喚起装置であって、
利用者の携帯端末機器の測位システムによって前記利用者の座標情報を獲得する座標情報獲得部と、
前記座標情報をサーバにアップロードして、前記サーバが前記利用者の地理的位置情報を獲得できるようにし、前記地理的位置情報と時間情報との対応関係を第一のデータベースに記録する座標情報アップロード部と、
ある履歴時点における地理的位置情報の問い合わせ要求を受信すると、問い合わせる対象時点を決定する対象時点決定部と、
前記対象時点を前記サーバにアップロードして、前記サーバが前記第一のデータベースに問い合わせることで前記対象時点に対応する対象の地理的位置情報を決定できるようにし、事前に設定された地図データベースから前記対象の地理的位置情報に対応する対象地図データを獲得する対象時点アップロード部と、
前記サーバから戻された前記対象地図データを受信し、ユーザインタフェース上に表示するために前記対象地図データをロードする地図ロード部と、
を備える装置。
【請求項１４】
情報喚起装置であって、
クライアントによってアップロードされた座標情報を受信する座標情報受信部と、
前記座標情報を使用して利用者のリアルタイムの地理的位置情報を決定し、前記地理的位置情報と時間情報との対応関係を第一のデータベースに記録する対応関係記録部と、
前記クライアントによってアップロードされた問い合わせ対象時点情報を受信すると、前記第一のデータベースに問い合わせ、前記対象時点に対応する対象の地理的位置情報を決定する問い合わせ部と、
事前に設定された地図データベースから前記対象の地理的位置情報に対応する対象地図データを獲得し、前記対象地図データを前記クライアントに戻して、前記クライアントが前記対象地図データをロードしてユーザインタフェースに表示できるようにする対象地図データ提供部と、
を備える装置。